(57)【要約】      （修正有）【課題】安全で、使用に便利な取り扱い易いお好み焼用のへらを提供する。【解決手段】取っ手部、首部、及びへらの機能部からなるへらであって、取っ手部を木で上下からステンレス製板を挟んだ断面が略樽形のものであり、首部の長さを前記ステンレス製板と一体にした１５ｍ／ｍ〜２１ｍ／ｍとし、さらにへらの機能部の幅を３５ｍ／ｍ〜４５ｍ／ｍとして、その先端を０．６ｍ／ｍ〜０．８ｍ／ｍの薄肉刃にするとともに、その刃の両端部を半径４ｍ／ｍ〜６ｍ／ｍの湾曲を形成する。【選択図】図１
0003168413.tif 000002
【実用新案登録請求の範囲】
【請求項１】
取っ手部の先に首部を介してへらの機能部を形成したものであって、前記取っ手部はステンレス製板に木板を上下から挟持して断面を略樽形にしたものであり、前記首部を前記取っ手部からのステンレス製板と一体にした１５ｍ/ｍ〜２１ｍ/ｍの長さとし、前記へらの機能部には前記ステンレス製板で延長したへらの幅方向を３５ｍ/ｍ〜４５ｍ/ｍとし、先端を０．６ｍ/ｍ〜０．８ｍ/ｍの薄肉刃にするとともに、該薄肉刃の両側を湾曲に形成したことを特徴とするお好み焼用へら。
【請求項２】
前記へらの機能部の両側湾曲が半径４ｍ/ｍ〜６ｍ/ｍのものである請求項１に記載のお好み焼用へら。
【考案の詳細な説明】
【技術分野】
【０００１】
本考案はお好み焼、特に焼き上がった各種お好み焼を食する際に用いるへらに関するものである。
【背景技術】
【０００２】
へらには、壁や塀などの建築用や調理用に用いられるものもあるが、本考案のへらは焼き上がったお好み焼を食する際に用いるへらである。
従来、出願人のお好み焼用へら１００は、図６（ａ）の正面図と、（ｂ）の左右対称の右側面図に略実寸で示すような形態であった。
そのうちの取っ手部１０１は、使用状態で厚さ１ｍ／ｍの半円形にした後端部１０２と、後端部に近い箇所での横幅を１３ｍ／ｍとし、先部の横幅を１５ｍ／ｍで、その中間の横幅を１４ｍ／ｍとする緩やかな直線状の傾斜を有する後部ステンレス製板１０３と、そのステンレス製板１０３を前記１３ｍ/ｍ、１４ｍ／ｍ、及び１５ｍ／ｍの緩やかな直線状と同じ幅の傾斜を有し、厚さ７ｍ/ｍの木製１０４−１，１０４−２で上下から挟んで、ステンレス製板１０３と木製１０４−１，１０４−２を貫通した２箇所の孔にリベット１０５を入れ、かしめている。
また、前記取っ手部１０１にある後部ステンレス製板１０３と一体に突出して、お好み焼を引っ繰り返したり、先端で切り裂く、正面から見てエプロン状のステンレス製の機能部１０６が設けられている。前記取っ手部１０１と機能部１０６間の首部１０３は、図６（ｂ）の右側面図で見られるように、前記突き出した箇所の両側から下方に４０度の角度（α）で落ち、それからさらに１３０度の角度（β）で上向くようにして前記エプロン状の機能部１０６を形成している。
なお、取っ手部１０１の後方には、お好み焼へら１００をフック（図示せず）に引っ掛ける貫通孔１０７を有している。
【０００３】
しかし、上記形態のお好み焼用へらでは、エプロン状の機能部の刃部となる先端幅が６５ｍ/ｍと口に入れるサイズとしては大きくて入らず、その両端のコーナ部が８５度と鋭角でへら上のお好み焼片を口中に運ぶには危険であった。また、前記先端部が１ｍ/ｍ弱の厚さであるために、焼き上がったお好み焼を口に入れる大きさに切断する場合に大きな力が必要であった。さらに、首部１０３の長さが３０ｍ/ｍと長く、お好み焼を取り扱う機能部に力が入り辛かった。そして、取っ手部１０１の断面がコーナ部にカット部１０８はあるものの横長台形のために手指の握りが難しく、仮に一方向で握ったとしても、お好み焼を種々の角度からカットすることを目的として機能部の角度を変えるために手指の持ち角度を変え難いという欠点があった。
このような従来技術としては、従来品の金属でできたへらが下記の通り存在するが、これは加熱によっても形態の定まっていないもんじゃ焼をホットプレートに押し付けて食するものであり、お好み焼として形態が固定した商品を引っ繰り返したり、切断して口に運ぶ本考案のお好み焼用へらとは調理して食する場合の機能において別異のものである。
【先行技術文献】
【特許文献】
【０００４】
【特許文献１】特開２０００−３１２６５０号公報
【考案の概要】
【考案が解決しようとする課題】
【０００５】
本考案は、前記問題点、すなわちへらの機能部の先端幅を口に入るサイズにし、その両端を丸くして安全性を確保し、また機能部であるへらの先端の厚さを次第に薄くして、焼き上がったお好み焼を切り易い形状とし、取っ手部と機能部との間の首部を短くして取り扱い易くするとともに、取っ手部の断面を握り易く、かつへらを任意の角度に移動可能にしてユーザの指への負担を軽減するお好み焼用へらを提供せんとする。
【課題を解決するための手段】
【０００６】
本考案のお好み焼用へらは、取っ手部の先に首部を介してへらの機能部を形成したものであって、前記取っ手部はステンレス製板に木板を上下から挟持して断面を略樽形にしたものであり、前記首部を前記取っ手部からのステンレス製板と一体にした１５ｍ/ｍ〜２１ｍ/ｍの長さとし、前記へらの機能部には前記ステンレス製板で延長したへらの幅方向を３５ｍ/ｍ〜４５ｍ/ｍとし、先端を０．６ｍ/ｍ〜０．８ｍ/ｍの薄肉刃にするとともに、該薄肉刃の両側を湾曲に形成したものである。
上記取っ手部の断面を略樽形にすることで、へらの機能部の角度を容易に変えて使い易くし、一度変えると安定して取っ手部を把持することができる。また取っ手部の長手方向の長さを従来品と同じように８５ｍ/ｍ未満にすると人の手として把持し難い状況が生じ、９５ｍ/ｍ超にもなると取扱いが不便である。
【０００７】
また、上記首部の長さ１５ｍ/ｍ〜２１ｍ/ｍは、従来の３０ｍ/ｍよりかなり短くなり、へらの取り扱いが容易になる。
【０００８】
さらに、上記へらの機能部の長手方向（５０ｍ/ｍ〜６０ｍ/ｍ）は従来品と同じであるが、従来品の幅方向が６５ｍ/ｍと人の口に入らない広さであるのに対し、本考案では３５ｍ/ｍ〜４５ｍ/ｍと口に入る大きさとし、その際に先端の両側が角張っていると口廻りを傷つける虞れがあるので湾曲にした。
【０００９】
そして、前記薄肉刃の両側の湾曲を、半径４〜６ｍ/ｍのものとすることで、へらを口内に運ぶ際の安全を確保した。
【００１０】
また、前記取っ手部の後端を半円形にして取り扱いの上での安全性に考慮し、本考案のへらの取っ手部にある貫通孔を設けることで、図示していない、壁にあるフックに掛けて吊るすことができるようにしている。
【考案の効果】
【００１１】
本考案によれば、へらの大きさを人の口内へ入るサイズとし、機能部の先端を薄肉刃にしてお好み焼を好みのサイズに切り易くし、その後前記薄肉刃の両側を湾曲にして安全性を確保した。
また、へらの首部の長さを短くすることでへら全体を短くし、かつ取っ手部の断面を樽型にすることでへらの握りや取り扱いを容易にした。
【図面の簡単な説明】
【００１２】
【図１】本考案であるお好み焼用へらの正面図である。
【図２】図１の平面図である。
【図３】図１の底面図である。
【図４】図１の右側面図である。
【図５】図４の縦断面図である。
【図６】（ａ）は従来品の正面図で、（ｂ）はその右側面図、（ｃ）は同平面図である。
【考案を実施するための形態】
【００１３】
本考案のお好み焼用へらは、その取っ手部の断面を樽形にして、取っ手部を周方向に回転し易くし、首部を１５ｍ/ｍ〜２１ｍ/ｍと短くし、へらの機能部の幅方向を３５ｍ/ｍ〜４５ｍ/ｍとすることにより切断したお好み焼を口中に運び入れることができ、例えへらの先端を０．６ｍ/ｍ〜０．８ｍ/ｍの薄肉刃として、お好み焼を切断し易くしても、その薄肉刃の両側を湾曲に形成することにより、口の周囲に傷を付け難くした。
【実施例】
【００１４】
図１乃至図５は、本考案であるお好み焼用へら１０の一実施例であって、全体を中央に首部３を介して取っ手部１とへらの機能部６とで形作ったものである。
【００１５】
取っ手部１は、その後端（上端）２を半円形にし、断面を台形にした上部の木製４−１と下部の木製４−２の間にステンレス製板の後部を挟んで鋲でかしめて２箇所５,５´に固定した長さが９０ｍ/ｍで、横幅が後端２付近で１３ｍ/ｍ、中間で１４ｍ/ｍ、そして首部３近くで１５ｍ/ｍの断面が略樽形のものである。なお、取っ手部１の長手方向の長さは、従来品と同じ５０ｍ/ｍ〜６０ｍ/ｍである。
【００１６】
前記へらの取っ手部１と後述する機能部６との間にある首部３は、前記取っ手部１に挟んだステンレス製板の前記１５ｍ/ｍの横幅をそのまま突出したもので、５ｍ/ｍ程突出してから４０度の角度α（従来品の図６と同じ角度）で下方に傾斜して突出しているが、図１で上から見た長さ方向の突出量（図１）は１９ｍ/ｍであり、従来品（図６）の２９ｍ/ｍよりも短くしている。
【００１７】
前記へらの機能部６は、前記４０度の角度で１９ｍ/ｍ突出したステンレスの首部３の突出からは、１３０度の角度β（従来品の図６と同じ角度）で上方に傾斜し、図１で上から見た長さ方向の突出量（図１）は図６の従来品と同じ５５ｍ/ｍであるが、横幅が人の口に入る長さの４０ｍ/ｍである。この横幅については、口の大きさにもよるが、小さいもので３５ｍ/ｍ、大きくても４５ｍ/ｍのものが好適であり、３５ｍ／ｍ未満では、お好み焼きを口に運ぶ回数が多くなり、４５ｍ/ｍ超では口に入らない。
また、へらの機能部は、その根元では首部や取っ手部１と同じ１ｍ/ｍの厚さであるが、先端に行くにしたがって０．７ｍ/ｍ（好ましくは０．６ｍ/ｍ〜０．８ｍ/ｍであり、これは０．６ｍ/ｍ未満では先鋭すぎるし、０．８ｍ/ｍ超ではお好み焼が切断し辛いためである）まで薄肉になっている。
さらに、へらの機能部の先端部の両側には半径５ｍ/ｍの湾曲部を形成している。ここでの湾曲部は４ｍ/ｍ未満では口中に入れるのにスムースではなく、６ｍ/ｍ超ではお好み焼を切断する薄肉刃が小さくなる。
なお、７の貫通孔は従来品と同じ、お好み焼用へらを吊るすためのものである。
【産業上の利用可能性】
【００１８】
調理用へらとしては、各種の形状・大きさのものがあるが、本考案ではお好み焼専用として改良したものである。
【符号の説明】
【００１９】
１・・・取っ手部
３・・・首部
４−１，４−２・・・取っ手部における木
６・・・へらの機能部
【図１】
0003168413.tif 000003
【図２】
0003168413.tif 000004
【図３】
0003168413.tif 000005
【図４】
0003168413.tif 000006
【図５】
0003168413.tif 000007
【図６】
0003168413.tif 000008